Podtech/llm-jp-corpus-v4-ja_patent huggingface dataset:
(57)【要約】【課題】額縁に絵画等を出し入れする際、使いやすいように、開口部の一辺を固定させ、その固定した一辺を軸に開閉が可能なようにしたドア型開閉式額縁を提供する。【解決手段】額縁の開口部につき、一辺を固定させ、その固定した一辺を軸に開閉が可能なようにしたことを特徴とする。【選択図】図１
2004267713.tif 000002
【特許請求の範囲】
【請求項１】
額縁裏面につき、絵画等を出し入れする開口部（以下、単に「開口部」という）の一辺を固定させ、その固定した一辺を軸に開閉が可能なようにしたドア型の開閉式額縁。
【請求項２】
額縁表面につき、開口部の一辺を固定させ、その固定した一辺を軸に開閉が可能なようにした、請求項１のドア型の開閉式額縁。
【発明の詳細な説明】
【０００１】
【発明の属する技術分野】
この発明は、開口部をドア型の開閉式にした額縁に関するものである。
【０００２】
【従来の技術】
従来額縁は、絵画等を出し入れする際、開口部が四辺をすべて開放する形のフタ型開閉式であった。
【０００３】
【発明が解決しようとする課題】
これは次のような欠点があった。
従来額縁は、絵画等を出し入れする際、開口部が四辺をすべて開放する形になっていて、やや手間がかかり、又、開口部のみを消失したり、破損したりすることもあった。
本発明は、以上のような欠点を改善するためになされたものである。
【０００４】
【課題を解決するための手段】
額縁の開口部を、一辺を固定させたドア型開閉式にする。本発明は、以上の構成からなるドア型開閉式額縁である。
【０００５】
【発明の実施の形態】
以下、本発明の実施の形態について説明する。
額縁の開口部の一辺を固定し、その固定した一辺を軸に開閉が可能なようにした。
本発明は、以上のような構造でこれを使用するときは、額縁へ絵画等を出し入れする際に、開口部をドアのように開けてそこに絵画等を入れるだけになるため、開口部が四辺すべて開け放たれる形のものと比べて手間が省ける。
【０００６】
【発明の効果】
額縁の開口部がドア型開閉式になっているため、絵画等の出し入れが簡単に出来る。特に、開口部が額縁の表面にあるものは、額縁を壁に掛けたまま絵画等の出し入れが可能であるため、利便性が増すことになる。
【図面の簡単な説明】
【図１】開口部が裏面に付いた場合の、本発明の斜視図である。
【図２】開口部が表面に付いた場合の、本発明の斜視図である。
【図１】
2004267713.tif 000003
【図２】
2004267713.tif 000004
(57)【要約】【課題】この発明はグランドゴルフ競技の打球が標的ホ−ルにいかなる方向（３６０°）からも入る構造のホ−ルポストに関するものである。【解決手段】ホ−ル底盤の端部に標的ポストを設定する金具を設けた構造としたものである。【選択図】図２
2004267714.tif 000002
【特許請求の範囲】
【請求項１】
グランドゴルフ競技に用いる標的ポストをホール底盤中心部のポスト固定金具にて支持した構造である。
【発明の詳細な説明】
【０００１】
【発明に属する技術分野】
この発明は丸鋼製のホール枠に円型縞鋼鈑を溶接したその中心部に標的ポストを固定する固定金具を設けた構造である。
【０００２】
【従来の技術】
従来の標的ホールポストは丸鋼ホール枠に取り付けた３脚の固定金具にて支持されていたため、打球が固定金具に当たり、ホール直前にて他に飛び去る不都合が生じていた。
【０００３】
【発明が解決しようとする課題】
標的ホール直前に来た打球がホール枠に取り付けられた固定金具に当たることなく、ホールに入ることができる構造とした。
【０００４】
【課題を解決するための手段】
図面にて説明する。
イ．鋼パイプの下端をねじ切りしたホールポスト（１）を底盤中心部に設けたポスト固定金具（２）にねじ込み支持する。
ロ．ポスト固定金具（２）はホール丸鋼枠（３）に熔接した円型縞鋼鈑の底盤（４）の中心に熔接設置する。
ハ．底盤（４）の縞鋼鈑にはグランド設置時に微妙な凹突の調整できるようにクローバー型の打抜き開口部を設ける。
【０００５】
【発明の実施の形態】
次に本発明の実施の形態を述べる。
打球はホールに到達してホール枠を乗り越え、打球力が適正ならば、ホールインとなり快適である。
【０００６】
【発明の効果】
従って、打球が上記の状態の場合如何なる方向（３６０°）からも支障なくホールに入る。
【図面の簡単な説明】
【図１】本発明のａ〜ａ縦断面図
【図２】本発明の斜視図
【符号の説明】
１はホールポスト
２はポスト固定金具
３はホール丸鋼枠
４は底盤
５はホール到達打球鈴
【図１】
2004267714.tif 000003
【図２】
2004267714.tif 000004
【手続補正書】
【提出日】平成16年2月23日(2004.2.23)
【手続補正１】
【補正対象書類名】明細書
【補正対象項目名】全文
【補正方法】変更
【補正の内容】
【特許請求の範囲】
【請求項１】グランドゴルフ競技に用いる標的ポストをホ−ル底盤端部のポスト固定金具にて支持した構造である。
【発明の詳細な説明】
【０００１】
【発明に属する技術分野】
この発明は丸鋼製のホ−ル枠に円型縞鋼鈑を溶接したその端部に標的ポストを設置するための固定金具を設けた構造である。
【０００２】
【従来の技術】
従来の標的ホ−ルポストは丸鋼ホ−ル枠に取り付けた３脚の支持金具にて支持されていたため、打球が支持金具に当たり、ホ−ル直前にて他に飛び去る不都合が生じていた。
【０００３】
【発明が解決しようとする課題】
標的ホ−ル直前に来た打球がホ−ル枠に取り付けられた支持金具を無くしたので支障なく、ホ−ルに入ることができる構造とした。
【０００４】
【課題を解決するための手段】
図面にて説明する。
イ．鋼パイプの下端をねじ切りしたホ−ルポスト（１）を底盤端部に設けたポスト固定金具（２）にねじ込み支持する。
ロ．ポスト固定金具（２）はホ−ル丸鋼枠（３）に熔接した円型縞鋼鈑の底盤（４）の端部に熔接設置する。
ハ．底盤（４）の縞鋼鈑にはグランド設置時に微妙な凹突の調整できるように円型の開口部を設ける。
【０００５】
【発明の実施の形態】
次に本発明の実施の形態を述べる。
打球はホ−ルに到達してホ−ル枠を乗り越え、打球力が適正ならば、ホ−ルインとなり快適である。
【０００６】
【発明の効果】
従って、打球が上記の状態の場合如何なる方向（３６０°）からも支障なくホ−ルに入る。
【図面の簡単な説明】
【図１】本発明のａ−ａ縦断面図
【図２】本発明の斜視図
【符号の説明】
１はホ−ルポスト
２はポスト固定金具
３はホ−ル丸鋼枠
４は底盤
５はホ−ル到達打球鈴


【手続補正３】
【補正対象書類名】図面
【補正対象項目名】全図
【補正方法】変更
【補正の内容】
【図１】
2004267714.tif 000005
【図２】
2004267714.tif 000006
(57)【要約】【課題】クッション性が高く、柔軟性のある製品を作る事が出来る伸縮性クッションキルトを提供する。【解決の手段】３の単独クッション部分と、２のゴム様接続部分を連鎖縫製する事でクッション性を高め、形状を柔軟にし、色々な用途に対応する事が出来る。【選択図】  図１
2004267719.tif 000002
【特許請求の範囲】
【請求項１】
伸縮性クッションキルトの形状と成る、ゴム様の伸縮性を持たせた接続部分を持つ生地に、等間隔に単独クッション部分を取り付け、規則的にそれらを連鎖させる事による製法。
【発明の詳細な説明】
【０００１】
【発明の属する技術分野】本発明は、手芸用キルトを応用したクッション性の高い生地及び、手芸用小物に関する。
【０００２】
【従来の技術】キルト芯を生地と生地の間に敷き詰めた、クッション性のある生地としてキルトがある。
【０００３】
【発明が解決しようとする課題】しかし、クッション性を重視する座布団やクッション小物を作る場合、キルト生地だけでは、クッション性が低く、スポンジや手芸綿などで補う必要があり、又、その場合、固くかさ張った材質になる。
【０００４】
【課題を解決するための手段】本発明は、キルトの様に生地全体にクッション性素材を敷き詰めクッション性を出すものではなく、幾つもの単独クッショッン部分を規則的に生地に取り付け、凹凸を出しクッション性を高める物であり、その接続部分をゴム様の伸縮性素材により固定する事で、生地の形状を柔軟な物にする伸縮性クッションキルトを提案する。
【０００５】
【発明の実施の形態】以下、本発明を、図面に沿って説明する。図１は、伸縮性クッションキルトの基本図である。製品の形状を保つ、１の生地部分に等間隔でゴムなどの伸縮性素材を縫い付け、又は接着し、２のゴム様伸縮性接続部を等間隔に作り、３の単独クッション部分をその間に取り付け、必要なサイズに合わせ規則的にこれらを連鎖、縫製させた形状からなる。３の単独クッション部分は、好みの色や柄の生地でスポンジや手芸綿などのクッション素材を包み縫製することで、伸縮性クッションキルトの表裏を失くし、実用的かつ素材を楽しく演出するものである。又、２の製品の形状を保つ生地部分に関しても同様である。
【０００６】
【実施例】図１では、３部分を大きなサイズにすることで、座布団やクッションになり、２部分で折り返すとコンパクトになり、ａリボンやスナップなどを用い、止める部分を設けると便利な携帯用になる。
【０００７】図３では、３部分を細い長方形にし、伸縮性クッションキルトを繋げ輪に成る様に縫製し、縦縞様に用い筒状にし、底部分を設ける。ｂ取手部分を付ければ、クッション性の高いトートバックになる。
【０００８】又、３部分に変形を持たせる事で、幼児の知育玩具としても安全性の高いものが作れ、図４は、その１例で電車を模った物である。
【０００９】
【発明の効果】伸縮性クッションキルトを用いる事で、製品の形状を柔軟にする事が出来、日常的に起こる場面の変化に、製品も変化し対応する事を可能にした物である。図１で示した、例としてコンパクトな携帯用になることも、その１つであるが、図３で示す、使用例としてトートバックにおいては、手提げで歩く時は楕円の形状をし、２部分により伸縮するため、内部にゆとりが出来て広く使える。自転車で移動する場合、その柔軟性を生かし形状を円形に変化させ、狭い自転車の前籠などにも、スムーズに入る物と成る。以上の事から、クッション性の面も含め、ペットの移動にも便利なものとして、又、伸縮性クッションキルト自体に表裏はなく、完成した製品が必要とする部分が主体と成る物であり、生地の材質や柄などを変える事で色々な演出が楽しめる物として、本発明を提供する事が出来る。
【図面の簡単な説明】
【図１】本発明の基本図である。
【図２】単独クション部分の断面図である。
【図３】本発明をトートバックに用いた、使用例である。
【図４】本発明を幼児用知育玩具に用いた、使用例である。
【符号の説明】
１−単独クッション部分を固定する生地部分。
２−ゴム様伸縮性を持つ、接続部分。
３−単独クッション部分。
４−クッション素材を保護する為の、生地部分。
５−スポンジや手芸綿などの、クッション素材。
【図１】
2004267719.tif 000003
【図２】
2004267719.tif 000004
【図３】
2004267719.tif 000005
【図４】
2004267719.tif 000006
(57)【要約】【課題】この発明は、携帯に便利で財布やカード入れなどに収納出来るようにカード型にした爪楊枝入れで、たとえば、外出先などで爪楊枝が必要になったとき、いつでも、手軽に持ち出せて、１本ずつ簡単に取り出して使えて、しかも、爪楊枝を整列した状態で衛生的に収納できるように工夫した、カード型爪楊枝入れを提供する。【解決手段】カード状の本体（１）の表面に爪楊枝を複数本入れられるように収納部（２）を設けたことを特徴とする。【選択図】  図１
2004267711.tif 000002
【特許請求の範囲】
【請求項１】
カード状の本体（１）の表面に収納部（２）を設けたカード型爪楊枝入れ。
【発明の詳細な説明】
【０００１】
【発明の属する技術分野】
この発明は、携帯に便利で財布やカード入れなどに収納出来るようにカード型にした爪楊枝入れで、たとえば、外出先などで爪楊枝が必要になったとき、いつでも、手軽に持ち出せて、１本ずつ簡単に取り出して使えて、しかも、爪楊枝を整列した状態で衛生的に収納できるように工夫した、カード型爪楊枝入れに関するものである。
【０００２】
【従来の技術】
従来、爪楊枝を携帯できるように、爪楊枝を紙袋に個別に包装したものがあった。
従来、市販されている携帯用の爪楊枝は、パッケージごと買わなければならなかった。
爪楊枝携帯袋を添着した爪楊枝の爪楊枝携帯袋があった（例えば特許文献１参照）。
適当数の爪楊枝が、１本ずつ容易に取り出せて、かつ衛生的で、携帯に便利で整列状態で収納できる携帯用爪楊枝があった（例えば特許文献２参照）。
爪楊枝が、完全に収納できて、１本ずつ取り出しやすいように収納して携帯できるようにした携帯用爪楊枝ケースがあった（例えば特許文献３参照）。
【０００３】
【特許文献１】
登録実用新案第３０２４５０号公報
【特許文献２】
実用新案公開平５−１１９号公報
【特許文献３】
特許公開平７−２５５５１９号公報
【０００４】
【発明が解決しようとする課題】
これは、つぎのような欠点があった。
（イ）紙袋に爪楊枝を個別に包装した場合、爪楊枝は先端が尖っているため、包装袋が破れやすく、しかも不衛生であり、また形状が小さな物だけに紛失しやかった。
（ロ）携帯袋は、パッケージ本体も購入しなければならず、これもまた形状が小さいため、バッグやポケットの中で紛失しやすく、もう少し存在感のあるものにしてほしかった。
（ハ）爪楊枝が少なくなったとき、爪楊枝をまとめてケース内に収納するため、収納状態が不安定になっていた。
本発明は以上のような欠点をなくすためになされたものである。
【０００５】
【課題を解決するための手段】
カード状の本体（１）の表面に爪楊枝（４）を複数本入れられるように収納部（２）を設ける。
爪楊枝（４）を１本ずつ入れられるように収納部（２）に仕切り（３）を設ける。
本発明は、以上のような構成よりなる、カード型爪楊枝入れである。
【発明の実施の形態】
以下、本発明の実施の形態について説明する。
カード状の本体（１）の表面に爪楊枝（４）を複数本入れられるように収納部（２）を設ける。
カード状の本体（１）の大きさは、従来のカードの同じくらいにする。
収納部（２）は、爪楊枝（４）を１本ずつ取り出せるように、複数の仕切り（３）を設け、上部を開口させる。
収納部（２）は、カード状の本体（１）に接着する。
収納部（２）の部分は、爪楊枝が突き抜けないように補強してもよい。
収納部（２）に爪楊枝（４）を収納する。
本発明は、以上のような構造で、つぎにこの使い方を説明する。
バッグやポケットに入れて、いつも携帯し、必要なときにバッグやポケットから、本発明のカード型爪楊枝入れから、爪楊枝を１本取り出して使う。
爪楊枝が少なくなったら、その都度爪楊枝を収納部に補充しておく。
なお、本体（１）の表面に鏡になる素材を貼ることもできる。
鏡をつければ、簡易型の化粧用品として使える。
本体（１）の表面に企業の宣伝などを印刷することもできる。
【０００７】
【発明の効果】
本発明品は、カード型で、薄いため財布やカード入れに収納出来る。
財布やカード入れに収納出来るので、紛失することもない。
カード状なので、いつも携帯できて必要時にいつも使うことができる。
たとえば、海外旅行やアウトドアのレジャーには最適である。
いつも携帯できるので、爪楊枝の存在感がある。
本体の表面に企業名などを入れて印刷すれば、宣伝用に使えて、広告の効果は大である。
本発明品は、販売促進用品として効果がある。
製造原価も安価で、繰り返し使用することも可能であり、環境のことを考えた作品といえる。
高齢者の方に喜ばれる作品である。
【図面の簡単な説明】
【図１】本発明の裏面から見た斜視図である。
【図２】本発明の表面から見た斜視図である。
【符号の説明】
１  カード状の本体
２  収納部
３  仕切り
４  爪楊枝
【図１】
2004267711.tif 000003
【図２】
2004267711.tif 000004
(57)【要約】【課  題】入浴時背中の洗い流しが困難なお年寄りや肩・腕等に障害があって動かすことが不自由な方が容易に背流しができるように、深く湾曲した柄の先端部と洗浄体にそれぞれ着脱具を設け、これを一体として使用できる浴用柄ブラシを提供する。【解決手段】柄本体（１）の深く湾曲した先端部（２）に着脱具（４）を設ける。洗浄体（３）の上部に着脱具（４′）を設けることを特徴とする。【選択図】    図１
2004267727.tif 000002
【特許請求の範囲】
【請求項１】
柄本体（１）の湾曲先端部（２）と洗浄体（３）にそれぞれ着脱具  （４）、（４′）を設けた浴用柄ブラシ。
【発明の詳細な説明】
【０００１】
【発明の属する技術分野】
この発明は、深く湾曲した柄の先端部と洗浄体にそれぞれ着脱具を設けた浴用柄ブラシに関するものである。
【０００２】
【従来の技術】
従来の浴用柄ブラシは、直線的な柄の先端部に洗浄体が固定された一体型であった。
【０００３】
【発明が解決しょうとする課題】
これは次のような欠点があった。従来の浴用柄ブラシは、洗浄体が直線的な柄の先端部に固定された一体型であった。お年寄りや肩、腕に障害のある人は肘を肩まで上げることができず、入浴時背中の洗い流しが困難で不便であった。
本発明は、以上のような欠点をなくすためになされたものである。
【０００４】
【課題を解決するための手段】
柄本体（１）の深く湾曲した先端部（２）と洗浄体（３）の上部にそれぞれ着脱具（４）、（４′）を設ける。
本発明は、以上の構成よりなる浴用柄ブラシである。
【０００５】
【発明の実施の形態】
以下、本発明の実施形態について説明する。
柄本体（１）の深く湾曲した先端部（２）と洗浄体（３）の上部にそれぞれ着脱具（４）、（４′）を設ける。
本発明は、以上のような構造でこれを使用する場合、柄に洗浄体を装着する。背中の洗い流しは柄を肩越しに掛けるようにして使用する。
体の前面を洗うときは洗浄体のみを使用する。柄が邪魔にならず使いやすい。
【０００６】
【発明の効果】
柄本体先端部が深く湾曲しているので背面に洗浄体を容易に密着させることができる。このためブラシをもった手や腕を肩より高く上げなくても背中が容易に洗い流すことができる。
特に、お年寄りや腕等に支障のある人には大変容易に背中洗いができる。
この形状は他の柄ブラシにも利用することができる。
【図面の簡単な説明】
【図１】本発明の斜視図である。
【図２】柄ブラシの斜視図である。
【符号の説明】
１      柄本体
２      柄湾曲先端部
３      洗浄体
４，４′着脱具
【図１】
2004267727.tif 000003
【図２】
2004267727.tif 000004
(57)【要約】【課題】従来、老齢化にともなう足のむくみを解消するには、利尿剤の内服等以外に、足首を屈伸することで血行を促進ことが有効であるが、他の力を利用して足首の屈伸を補助する簡便で利用しやすい器具が無かった。【解決手段】左右の足を乗せることの出来る形状と大きさをした足乗せ板を左右に並列に配設し、それぞれの足乗せ板中ほどより後方の下部を回動自在に軸支し、電気モーター等による駆動装置で足乗せ板の前方を上下に揺動させる装置とし、駆動装置としては、電気モーターで駆動する駆動装置の軸に設けたクランクと足乗せ板の下部を連結杆を介して連結し、クランクの回転によって足乗せ板の前方を上下に揺動させる。【選択図】      図１
2004267724.tif 000002
【特許請求の範囲】
【請求項１】
左右の足をそれぞれ乗せることの出来る形状と大きさをした足乗せ板（１）を左右に並列に配設し、それぞれの足乗せ板の中ほどより後方の下部を足乗せ板を支持する架台（９）に回動自在に軸支し、電気モーター等による駆動装置（４）によって左右の足乗せ板（１）を交互に上下に揺動することを特長とする足首屈伸装置。
【請求項２】
請求項１において、足乗せ板（１）の下部に連結杆軸受部材（６）を設け、架台（９）に電気モーター等による駆動装置（４）を取付け、該駆動装置の軸（４ａ）にクランク（５）を設け、該クランクのクランクピン（５ａ）と前記連結杆軸受部材（６）とを連結杆（７）で連結し、駆動装置の軸（４ａ）の回転により、足乗せ板を上下に揺動することを特長とする足首屈伸装置。
【発明の詳細な説明】
【０００１】
【産業上の利用分野】
この発明は老齢化による足のむくみを解消する補助器具に関するもので、外からの力によって足首を屈伸することに関する。
【０００２】
【従来の技術】
従来、老齢化に伴う足のむくみの解消策として、利尿剤の内服等以外に、足首を屈伸することで血行を促進することが有効であり、自力で足首を屈伸させるか、人手で屈伸するか、或いは空気圧利用の器具を使って血行を促進けることを行っている。
【０００３】
【発明が解決しようとする課題】
しかしながら、老齢者にとって自力で足首を屈伸させることは困難であり、人手で屈伸するには多くの労力をようする。また、空気圧利用の器具は装置が大きく取り扱いが不便である。
【０００４】
【課題を解決するための手段】
上記の課題を解決するには、電気モーター等により作動する器具を利用して足首の屈伸を援助することであり、本発明では、左右の足を乗せることの出来る形状と大きさをした足乗せ板を左右に並列に配設し、その中ほどより後方の下部を回動自在に軸支し、電気モーター等による駆動装置で足乗せ板の前方を上下に揺動させる装置とした。駆動装置としては、電気モーターで駆動する駆動装置の駆動軸に設けたクランクと足乗せ板の下部とを連結杆を介して連結する。
そこでは、左右の足乗せ板は、左右交互に揺動することが好ましい。又、揺動の軸は足首間接の下方になる位置が好ましい。
【０００５】
【作用】
左右の足乗せ板は、電気モーターで駆動軸を回転すると、駆動軸に設けたクランクにより連結杆を介してその後方の軸支部を軸に前方を上下に揺動する。
【０００６】
【発明の実施の態様】
以下本発明の実施例を説明する。
図１はこの発明に係る実施例の足首屈伸装置の側面図である。
架台９には足乗せ板１の揺動の軸を支える支持部材３を固設してあり、足を乗せることの出来る形状と大きさをした足乗せ板１の中ほどより後方の下部には、この足乗せ板の前方を上下に揺動する軸となる揺動軸受部材２が設けてあって、支持部材３に揺動軸２ａを介して回動自在に軸支されている。
又、足乗せ板１の略中ほどの下部にはその上下揺動を作用するための連結杆軸受部材６が設けてあり、架台９には電気モーター８を装着した駆動装置４を設置し、その軸４ａにクランク５を設けてそのクランクピン５ａと連結杆軸受部６とを連結杆７を介して連結してある。
【０００７】
上記のように構成された機構を駆動装置４の左右に対称に配し、左右の足乗せ板は左右が交互に揺動作動するようになっている。。
【０００８】
【発明の効果】
このように構成された本発明の足首屈伸装置は、左右の足乗せ板に両足をそれぞれ乗せて駆動装置を作動させると、足乗せ板は前方を上下に揺動して左右の足首を交互に屈伸して足の血行を促進することにより、浮腫の改善に寄与し、また、下肢筋力の低下を防止する効果がある。
【０００９】
【図面の簡単な説明】
【図１】本発明の足首屈伸装置の側面図
【図２】その正面図
【図３】本発明の足首屈伸装置に足を乗せた状態
【符号の説明】
１……足乗せ板
２……揺動軸受部材
２ａ…揺動軸
３……支持部材
４……駆動装置
４ａ…軸
５……クランク
５ａ…クランクピン
６……連結杆軸受部材
７……連結杆
８……モーター
９……架台
【図１】
2004267724.tif 000003
【図２】
2004267724.tif 000004
【図３】
2004267724.tif 000005
(57)【要約】      （修正有）【課題】収納品のラベルが１目瞭然となるキヤビネットを提供する。【解決手段】収納棚の１行から３行目迄は各々観音開きのできる開閉板を取り付ける。【選択図】図１
2004267728.tif 000002
【特許請求の範囲】
【請求項１】
収納棚１行から３行目の収納棚の開閉板を取り付ける。
【請求項２】
収納棚１行と２行の間に開閉板を取り付ける。
【請求項３】
開閉は観音開。
【請求項４】
キヤビネット多重用に滑り止めネジ穴をあける。
【発明の詳細な説明】
【０００１】コンパクトで小さなスペースで４行観音開きで１目瞭然。
【発明の属する技術の分野】
【０００２】１行から３行目に収納棚の開閉板を取り付ける。
【従来の技術】
【０００３】収納棚１行と２行の間に開閉板を取り付ける。
【発明が解決しようとする課題】
【‥‥】観音開きでラベルが１目瞭然。
【課題を解決するための手段】
【‥‥】コンパクトで小さなスペースで大量収納できる。
【発明の実施の形態】
【‥‥】
【実施例】
【‥‥】
【‥‥】
【発明の効果】
【‥‥】観音開きでラベルが１目瞭然。
【図面の簡単な説明】
【図１】「〜を示した平面図である。」のように記載する。
【図２】「〜を示した断面図である。」のように記載する。
【符号の説明】
１
２
３
【図１】
2004267728.tif 000003
【図２】
2004267728.tif 000004
【図３】
2004267728.tif 000005
【図１】
2004267728.tif 000006
【図２】
2004267728.tif 000007
【図３】
2004267728.tif 000008
【手続補正書】
【提出日】平成15年6月4日(2003.6.4)
【手続補正１】
【補正対象書類名】明細書
【補正対象項目名】図面の簡単な説明
【補正方法】変更
【補正の内容】
【図面の簡単な説明】
【図１】４行開閉式キヤビネットの断面図。
【図２】４行開閉式キヤビネットの１行目２行目の開閉板は外側に丁付を付ける、３行目開閉板は内側に丁付を付ける。
【図３】４行開閉式キヤビネットの上面図（平面図）
【図４】４行開閉式キヤビネットの観音開きの正面図（平面図）
【図５】４行開閉式キヤビネットの左側面図、黒い所の丁付は外側に白い所の丁付は内側に付ける。
【図６】４行開閉式キャビネットの右側面図、黒い所の丁付は外側に白い所の丁付は内側に付ける。


【手続補正２】
【補正対象書類名】図面
【補正対象項目名】全図
【補正方法】変更
【補正の内容】
【図１】
2004267728.tif 000009
【図２】
2004267728.tif 000010
【図３】
2004267728.tif 000011
【図４】
2004267728.tif 000012
【図５】
2004267728.tif 000013
【図６】
2004267728.tif 000014
(57)【要約】【課題】多種多様の入れ歯に常温硬化液状ガラスをコーティングする事で劣化、防菌を防止し、常に清潔感のある入れ歯を提供する。【解決手段】図１及び図２のような入れ歯に、常温硬化液状ガラスをコーティングする事で図３のように入れ歯全体をコーティングし、▲１▼▲３▼▲４▼を保護する。コーティングは、はけ、噴霧する事で行っても良い。その事で入れ歯の劣化、酸化を防止し、更に入れ歯その物の強度を増す。【選択図】  図１
2004267721.tif 000002
【特許請求の範囲】
【請求項１】
多種多様の入れ歯に常温硬化液状硝子をコーティングすることを特徴とする入歯。
【請求項２】
歯、金属、歯肉の部分全体に硝子膜を入れ歯の表面にコーティングし、口の中の入れ歯の劣化を防ぐ事を特徴とする入歯。
【請求項３】
金属酸化物硝子膜の防菌効果で口臭を防ぎ、常に清潔感を保てる事を特徴とする入歯。
【請求項４】
入れ歯全体の硝子膜をコーティング効果で腐食を防ぎ、水洗いだけで入れ歯の汚れを取り除く事を特徴とする入歯。
【発明の詳細な説明】
【０００１】
【発明の属する技術分野】
本願発明は、多種多様な形状の入れ歯に関し、液状硝子膜を入れ歯全体にコーティングする事で劣化、腐食、汚れ等を防ぎ、入れ歯を簡易容易に水洗いだけで清潔にする利便性に優れた入れ歯に関する。
【０００２】
【従来の技術】
従来の入れ歯は食べ物のカス、唾液などが入れ歯との隙間で匂いを発し、衛生上にかなりの問題があり、それらを専門に洗浄する物もあるがそれでも臭いが残るなど困惑する事が多々あった。
【０００３】
【発明が解決する為の課題】
従来の入れ歯は専門的な洗浄剤などを個別に用意しなければならないと言う欠点があった。本願発明は、従来通りの歯磨きと同様入れ歯そのものを水洗いだけで臭い、汚れを落とす事が容易に解決できる発明である。
【０００４】
【目的】
本願発明は、
【０００２】の様な事も無く、水で洗浄するだけの簡単な作業で可能な金属酸化物硝子膜をコーティングした入れ歯を提供するものである。
【０００５】
【課題を解決する為の手段】
上記目的を実現する為、本願発明は歯科技工士が多種多様なそれぞれの型を作成した入れ歯に金属酸化物硝子をコーティングをして成る事を特徴としている。
【０００６】
【発明の実施の形態】
本願発明に係る実施形態例に付いては、図面にて詳細に説明する。
【０００７】
それぞれ形の異なる図１、図２のような入れ歯は、歯科技工士が硝子コーティングの厚さの計算で入れ歯を受注した人に合う様にする事が好ましい。又、▲１▼▲３▼▲４▼全てにコーティングする。
【０００８】
入れ歯は口の中に入れる物である為、抗菌、腐食、劣化などの防止には特に寄与する。特に▲４▼の部分の劣化と酸化する為に起こる口臭の元を断つ。
【０００９】
以上、本願発明は従来の入れ歯と比較しても、安全性、利便性の全てに於いて優れており、使用者への貢献度は顕著なものである。
【図面の簡単な説明】
【図１】一部を欠切した上入歯の斜視図
【図２】一部を欠切した下入歯の斜視図
【図３】入歯の断面図
【符号の説明】
▲１▼  入歯
▲２▼  常温硬化液状ガラス
▲３▼  歯肉
▲４▼  金属
【図１】
2004267721.tif 000003
【図２】
2004267721.tif 000004
【図３】
2004267721.tif 000005
(57)【要約】【課題】目薬を簡単、かつ確実に目に点眼するための目薬点眼補助具を提供する。【解決手段】やや湾曲し、しゃもじ状に形成した目薬点眼補助具本体（１）に目の大きさほどの孔（２）を設け、その孔にシート状の網（３）を両面テープ（４）で取り付けたことを特徴とする。【選択図】    図１
2004267709.tif 000002
【特許請求の範囲】
【請求項１】
やや湾曲し、しゃもじ状に形成した目薬点眼補助具本体（１）に、目の大きさほどの孔（２）を設け、その孔にシート状の網（３）を両面テープ（４）で取り付けたことを特徴とする目薬点眼補助具。
【発明の詳細な説明】
【０００１】
【発明の属する技術分野】
この発明は、目薬を簡単、かつ確実に、目に点眼するための目薬点眼補助具に関するものである。
【０００２】
【従来の技術】
従来、目薬点眼補助具は、筒状円錐形の細いほうの先端に孔を設けたものや、目薬容器側面に目を開かせる為の棒を付けたものがあった。これらはいずれも、目に点眼液を落とすことによる点眼方法であり、点眼に対する恐れを持つ乳幼児など、天を仰いでじっと待っていることが困難な場合には、目薬点眼補助具としての役割が果たせなかった。
【０００３】
【発明が解決しようとする課題】
目薬を点眼するときは、天を仰いで動かずに点眼液が落ちてくるのを待つという方法であった。しかし、手元が狂ったり、点眼液が落ちてくるのが怖い子供など、じっとしていなかったりすると、目薬点眼が行えなかった。本発明はこれらの欠点を解決するために発明されたものである。
【０００４】
【課題を解決するための手段】
やや湾曲し、しゃもじ状に形成した目薬点眼補助具本体（１）に、目の大きさほどの孔（２）を設け、その孔にシート状の網（３）を両面テープ（４）で取り付けたことを特徴とする目薬点眼補助具である。
【０００５】
【発明実施の形態】
以下、本発明の実施の形態について説明する。
（イ）やや湾曲し、しゃもじ状の目薬点眼補助具本体（１）に、目の大きさほどの孔（２）を設ける。
（ロ）孔にシート状の網（３）を両面テープ（４）で取り付ける。
本発明は以上のような構造であり、これを使用するときには、本体を水平にし、貼り付けられたシート状の網の上に、静かに使用する点眼液を数滴たらし、網の上に乗っている点眼液に、顔をかぶせるようにして目に付ける。このときまぶたを数回動かすことによって、まつげに点眼液が付着し、網目から掻き出されるようにして目の中に液が入っていく。このように、本体を眼の部分につけていることにより、天を仰いで点眼する必要もなく動いても点眼ができる。さらに、点眼液に顔を近づけるので、恐怖心がなく、確実に点眼できる。
【０００６】
【発明の効果】
１．目薬点眼液の方に目を近づけるということで、目の中に何かが落ちてくるという恐怖心が軽減される。
２．網状のシートは両面テープで取り替え可能であるため、点眼のたびに交換すれば、衛生状態は良い。
３．簡単な形状であり、工業製品としても、非常に安価にできる。
４．しゃもじ型が湾曲している事により、目の回り全体に良くフィットし、ずれる心配がない。
【図面の簡単な説明】
【図１】本発明の目薬点眼補助具本体の背面にシート状の網を接着する状態を示す図である。
【図２】本発明の目薬点眼補助具の斜視図である。
【図３】本発明の目薬点眼補助具の正面図である。
【図４】本発明の目薬点眼補助具に、点眼液をたらす状態を示す斜視図である。
【図５】本発明の目薬点眼補助具に、目を近づける状態を示す斜視図である。
【図６】本発明の目薬点眼補助具で点眼中の状態を示す図である。
【符号の説明】
１  目薬点眼補助具本体
２  孔
３  シート状の網
４  両面テープ
５  両面テープ貼り付け位置
【図１】
2004267709.tif 000003
【図２】
2004267709.tif 000004
【図３】
2004267709.tif 000005
【図４】
2004267709.tif 000006
【図５】
2004267709.tif 000007
【図６】
2004267709.tif 000008
(57)【要約】【課題】弁当箱とスプーン・フォーク・箸等の補助具を同時に収納できるランチクロスを提供する。【解決手段】ランチクロス（１）の一角に、基盤（３）を設け、基盤（３）の折り返し部（５）よりカバー部（４）を折り返し、ボタン雄片（６）とボタン雌片（７）を勘合し袋体（２）を形成する。袋体開口部（８）よりスプーン・フォーク・箸等の補助具（９）を入れて収納できる。【選択図】  図１
2004267703.tif 000002
【特許請求の範囲】
【請求項１】
ランチクロス（１）の一角に袋体（２）を設け、折り返し部（５）よりカバー部（４）でカバーし、ボタン雄片（６）とボタン雌片（７）で、スプーン・フォーク・箸等の補助具（９）を収納する補助具収納付ランチクロス。
【請求項２】
輪状からなるゴムベルト（１０）のベルト中央部（１２）よりとめ片（１１ａ）・（１１ｂ）を設け、ボタン雄片（６）とボタン雌片（７）で、スプーン・フォーク・箸等の補助具（９）を収納するベルト。
【発明の詳細な説明】
【０００１】
【発明の属する技術分野】
この発明は、ランチクロス１枚で、弁当箱とスプーン・フォーク・箸等の補助具を同時に収納できるランチクロスに関するものである。
【０００２】
【従来の技術】
従来、弁当のスプーン・フォーク・箸等の補助具は専用のケースに入れるか、そのままをランチクロスに包み持ち運びをしていた。
【０００３】
【発明が解決しようとする課題】
そのために次のような問題点があった。
イ．  弁当箱と補助具ケースは別々の単体になっている為、携帯に不便で煩わしかった。特に幼児用のものは重い。
ロ．  補助具ケースは小さい為、容器内部の洗浄が面倒であった。
本発明は、以上の問題点を解決するためになされたものである。
【０００４】
【課題を解決するための手段】
ランチクロス（１）の一角に基盤（３）を設け、基盤（３）の折り返し部（５）よりカバー部（４）を折り返し、ボタン雄片（６）とボタン雌片（７）を勘合し袋体（２）を形成する。袋体開口部（８）よりスプーン・フォーク・箸等の補助具（９）を入れて収納できる。
本発明は、以上の構成よりなる補助具収納付ランチクロスである。
【０００５】
【発明の実施の形態】
以下、本発明の第１実施の形態を図１および図３で説明する。
（イ）綿素材のランチクロス（１）表面の一角に、ビニールコーティングされた生地の長方形状の袋体（２）を設ける。ランチクロス（１）に、基盤（３）を折り返し部（５）の部位まで縫合し、カバー部（４）を折り返す。
（ロ）基盤（３）にはボタン雌片（７）を付け、カバー部（４）にはボタン雄片（６）を付ける。ボタン雄片（６）とボタン雌片（７）を勘合させることにより袋体（２）が形成される。
本発明の第１実施の形態は以上の構成よりなっている。
本発明の第１実施の形態を使用するときは、ランチクロス（１）に弁当箱（１３）を包み、基盤（３）にスプーン・フォーク・箸等の補助具（９）をのせ、折り返し部（５）よりカバー部（４）を折り返して、ボタン雄片（６）とボタン雌片（７）を勘合させる。以上により、補助具は袋体（２）に収納される。補助具を使用する場合は、袋体開口部（８）よりカバー部（４）を開放するだけで、補助具を外すことができる。
以下、本発明の第２実施の形態を図５および図７で説明する。
（イ）輪状からなるゴムベルト（１０）のゴムベルト中央部（１２）より、とめ片（１１ａ）・（１１ｂ）を左右対称に設ける。各とめ片（１１ａ）・（１１ｂ）の先端にボタン雄片（６）を設ける。
（ロ）ゴムベルト（１０）の表面にボタン雄片（６）に対応するボタン雌片（７）を設ける。
本発明の第２実施の形態は以上の構成よりなっている。
本発明の第２実施の形態を使用するときは、弁当箱（１３）にゴムベルト（１０）を通し、ゴムベルト（１０）の表面にスプーン・フォーク・箸等の補助具（９）をのせ、とめ片（１１ａ）・（１１ｂ）でカバーし、ボタン雄片（６）とボタン雌片（７）を勘合させて補助具を収納する。
【０００６】
【発明の効果】
本発明を使用することによって、補助具ケースなしで弁当箱を持ち運べ、ケースの洗浄をしなくて済む。また、補助具が固定されているので動く心配がない。
【図面の簡単な説明】
【図１】本発明の斜視図
【図２】本発明の分解斜視図
【図３】本発明の袋体（２）の斜視図
【図４】本発明の使用状態を示す斜視図
【図５】本発明の他の斜視図
【図６】本発明の他の分解斜視図
【図７】本発明の他の使用状態を示す斜視図
【符号の説明】
１  ランチクロス
２  袋体
３  基盤
４  カバー部
５  折り返し部
６  ボタン雄片
７  ボタン雌片
８  袋体開口部
９  スプーン・フォーク・箸等の補助具
１０ゴムベルト
１１とめ片ａ・ｂ
１２ベルト中央部
１３弁当箱
【図１】
2004267703.tif 000003
【図２】
2004267703.tif 000004
【図３】
2004267703.tif 000005
【図４】
2004267703.tif 000006
【図５】
2004267703.tif 000007
【図６】
2004267703.tif 000008
【図７】
2004267703.tif 000009
(57)【要約】【課題】全体の構造を小さくし、狭い場所での設置を容易にする。【解決手段】箱状の標的体１の標的部３−ａに、袋状の標的体２を設ける。【選択図】          図１
2004267704.tif 000002
【特許請求の範囲】
【請求項１】
箱状の標的体（１）の標的部（３−ａ）に、袋状の標的体（２）を設けた二重標的。
【発明の詳細な説明】
【０００１】
【発明の属する技術分野】
本発明は、ボールゲームに使用する二つの標的体を組合わせた二重標的に関する。
【０００２】
【従来の技術】
従来の標的にあつては、図２に示すような標的が使用されてきた。、すなわち、複数のポケツトを設け、そのポケツトにボールを入れてゲームをしている。
【０００３】
【発明が解決しようとする課題】
図２に示した標的には、次のような欠点があつた。ボールが入る標的となる複数のポケツトは、左右、又は上下に配列するため標的全体の構造が大きくなり、狭い場所では設置しずらいという欠点があつた。
【０００４】
本発明は、複数の標的をもつ構造のものでも、複数の標的を二重構造にすることにより、狭い場所での設置を可能にする点にある。
【０００５】
【課題を解決するための手段】
上記目的を達成するために、本発明の二重標的においては、箱状の標的体の標的部に、袋状の標的体を設けたものである。
【０００６】
箱状の標的体は、網、又は布で構成し、前側の標的部は上がり気味にし、後部側は下がり気味にするとよい。
【０００７】
袋状の標的体は、網、又は布で構成し、箱状の標的体の上部に取り付け吊設するとよい。
【０００８】
袋状の標的体の取り付けは、箱状の標的体に着脱自在にするが、固着して一体形成にしてもよい。
【０００９】
【作用】
本発明に係る、二重標的は次のように使用する。箱状の標的体、及び袋状の標的体を目掛けて投げたボールは、１、袋状の標的体の標的部に命中した場合、ボールは標的体内の下部に落ち滞留する。２、袋状の標的体の標的部以外にボールが当つた場合、ボールの勢いで吊設している標的体を後方へ押しやり、ボールは箱状の標的体内に落ち滞留する。３、箱状の標的体と袋状の標的体との隙間を通つたボールは、箱状の標的体の内側に当たり落下し滞留する。その場合、反射したボールは、袋状の標的体の裏側に当たり、且つ、箱状の標的体の前側が上がり気味になつているので、ボールは外へ出ず滞留する。前記した通り、二つの標的体を二重にして使用しても、標的としての機能を果たすことができる。大きさを縮小して、狭い場所での使用が可能になる。
【００１０】
【発明の実施形態】
発明の実施の形態を実施例にもとずき図面を参照して説明する。
図１は、実施例１のものの構造を示す斜視図である。１は、箱状の標的体を示している。２は、袋状の標的体を示している。箱状の標的体１は、上下、左右、後部をネツトで形成し、前部の空間を標的部３−ａとしている。左右の上部につり紐４を設け、左右に立設した支柱５に吊設している。袋状の標的体２は、四角形状の袋状ネツトで、前側のネツトの中心部を円形にくり抜き標的部３−ｂを形成し、箱状の標的体１の前側上端部に吊設している。
【００１１】
【発明の効果】
本発明は、以上説明したように構成されているので、以下に記載されるような効果を奏する。
【００１２】
複数の標的部を二重に配置形成することにより全体の構造を縮小でき、狭い場所での設置が可能となつた。
【図面の簡単な説明】
【図１】二重標的の斜視図である。
【図２】従来の標的の参考図である。
【符号の説明】
１      箱状の標的体
２      袋状の標的体
３−ａ  標的部
３−ｂ  標的部
４      吊り紐
５      支柱
【図１】
2004267704.tif 000003
【図２】
2004267704.tif 000004
(57)【要約】【課題】それぞれサイズの異なる靴の中敷に和紙を使用。それにセイント鉱石の粉末と炭の粉末を混合させる事で、防虫、防菌、防臭、通気性に効果を発揮させ、清潔で足に優しい靴の中敷を提供する。【解決手段】図１、図２のような靴の中敷に、▲２▼を入れて各サイズに対応し、図３で示すように和紙を３層にする事で布に近い丈夫な和紙にする。各和紙にセイント鉱石の粉末と炭の粉末を混合させる為に、和紙を製作する段階で混合するか、和紙を乾燥させる時点で噴霧するかの方法でも良い。その事で靴の中の酸化を防止、靴の中を快適、清潔にする。マグネットは、図３の▲７▼▲８▼の間に施すが、必ずしもマグネットを使用しなくとも効果は絶大な物である。図１のミシン目の間は、５ｍｍとし４つに区切る。【選択図】  図１
2004267707.tif 000002
【特許請求の範囲】
【請求項１】
各種サイズの異なる靴の中敷に、セイント鉱石の粉末と炭の粉末を和紙に混合させ、足の指の付け根にマグネットを施す事を特徴とする靴の中敷。
【請求項２】
セイント鉱石の遠赤外線効果と防虫効果と防菌効果で水虫などの皮膚病を防止する事を特徴とする靴の中敷。
【請求項３】
和紙とセイント鉱石と炭の作用により、汗と脱臭と通気性に関する効果を発揮する事を特徴とする靴の中敷。
【請求項４】
ミシン目を入れ、足のサイズを４段階で自由に切り取る事ができ、全て自然物を使用した事を特徴とする靴の中敷。
【発明の詳細な説明】
【０００１】
【発明の属する技術分野】
サイズの異なる靴の中敷に、セイント鉱石の粉末と炭の粉末を混合した和紙を使用することにより、足の疲れ，皮膚病の防止する。通気性に優れた自然物を使用し、清潔と利便性に優れた靴の中敷に関する。
【０００２】
【従来の技術】
従来の靴の中敷は防臭、通気などの工夫はされていたが、部材に問題があり清潔さと足の汗、通気性は満足のできるものは無く、かえって不快感が残る物が多く困惑する事が多々あった。
【０００３】
【発明が解決しようとする課題】
従来の靴の中敷は防菌、防虫、防臭を全て自然物で補うと言う物質で作成した物は無く、多くの欠点があった。本願発明は、日本古来の和紙を素材とし、石英片岩、セイント鉱石の粉末、炭の粉末など全て自然物を使用し、防菌、防虫、防臭、通気性を容易に解決できる発明である。
【０００４】
【目的】
本願発明は、和紙にセイント鉱石の粉末と炭の粉末を混合させ、足の指の付け根にマグネットを施した靴の中敷を提供する物である。
【０００５】
【課題を解決するための手段】
上記目的を達成する為、本願発明は和紙にセイント鉱石の粉末と炭の粉末を、和紙を製作する段階で混合するか、和紙を乾燥させる前に粉末を振りかけるかして、より布に近い和紙を３層にしてなる事を特徴としている。
【０００６】
【発明の実施の形態】
本願発明に係る実施形態例に付いては図面にて詳細に説明する。
【０００７】
図１のようにそれぞれ足のサイズの異なる靴の中敷に、図２で示す▲５▼▲６▼を和紙に含ませ図３のように和紙を３層にしてやることが好ましい。
【０００８】
靴の中敷は、図１で示すようにサイズの異なる靴の中敷を▲２▼のようにミシン目を入れ、使用者のサイズに簡単にできるようにする。
【０００９】
図１で示したとおり、▲４▼▲５▼の部分を約３ｍｍの突起を作る。又、▲３▼のようにマグネットを使用する。
【００１０】
以上、本願発明は従来の靴の中敷と比較しても、安全性、利便性の全てに於いて優れており、使用者の貢献度は顕著なものである。
【図面の簡単な説明】
【図１】靴の中敷の平面図
【図２】靴の中敷の平面図を一部欠切した斜視図
【図３】靴の中敷の和紙３層の断面図
【符号の説明】
▲１▼  和紙
▲２▼  ミシン目
▲３▼  マグネット
▲４▼  突起３ｍｍ
▲５▼  セイント鉱石（粉末）を含んだ和紙
▲６▼  炭（粉末）を含んだ和紙
▲７▼  １層
▲８▼  ２層
▲９▼  ３層
▲１０▼  ミシン目の間５ｍｍ
【図１】
2004267707.tif 000003
【図２】
2004267707.tif 000004
【図３】
2004267707.tif 000005
(57)【要約】【課題】本箱あるいは抽き出し内の書類、書籍、文房具などが整然と収納できるように、縦状に交互に凹凸部を並列して設けた帯状板を、たとえば本箱を構成する箱体の内部壁に対向して取り付けるようにすることにより、それらを適確に収納、整理、保管することができる書類、書籍などの整理用溝付きテープを得ることを目的とする。【解決手段】縦状に交互に凹凸部を並列して設けた帯条板からなり、本箱、抽き出しなどの内部壁に対向して取り付けるようにしたことを特徴とする書類、書籍などの整理用溝付きテープの構成。【選択図】  図２
2004267710.tif 000002
【特許請求の範囲】
【請求項１】
縦状に交互に凹凸部を並列して設けた帯条板からなり、本箱、抽き出しなどの内部壁に対向して取り付けるようにしたことを特徴とする書類、書籍などの整理用溝付きテープ。
【発明の詳細な説明】
【０００１】
【発明の属する技術分野】この発明は、書類、書籍などの整理用溝付きテープに関するものである。
【０００２】
【従来の技術】従来において、日常、身辺における書類、書籍などの整理、整頓は常に心掛けねばならない問題として取り上げられており、それに対応するための対策が必要である。しかし現状は、本箱などは一つの固定的な備品として、単に室内などに据付られることが多く、進んでその内部の整理、整頓についてはあまり考慮はされていない。しかしこれは一つの本箱内においても、整理、整頓が必要であり、これら本箱あるいは机やキャビネットの抽き出し内などにおいても、それの中を効率よく利用することによって、整理、整頓がよく行われることに配慮されるべきである。
【０００３】
【発明が解決しようとする課題】この発明は、本箱あるいは抽き出し内の書類、書籍などが整然と収納できるように、縦状に交互に凹凸部を並列して設けた帯状板を、たとえば本箱を構成する箱体の内部壁に対向して取り付けることにより、それらを適確に収納、整理、保管することができる書類、書籍などの整理用溝付きテープを得ることを目的とする。
【０００４】
【課題を解決するための手段】縦状に交互に凹凸部を並列して設けた帯条板からなり、本箱、抽き出しなどの内部壁に対向して取り付けるようにしたことを特徴とする書類、書籍などの整理用溝付きテープの構成とする。
【０００５】
【発明の実施の形態】以下、図面を参照して説明する。図１（ａ）〜（ｃ）に示すのは、たとえば本箱内に書籍を収納する際に用いるこの発明の整理用溝付きテープ（Ｅ）であって、図１（ａ）は側面より見た図、図１（ｂ）は上面より見た図である。すなわちそれは全体が横幅３ｃｍ、厚さ１ｍｍ  程度の長い帯条板（ｆ）からなり、この帯条板（ｆ）には、幅５ｍｍ、高さ５ｍｍの縦条突起（ｔ）が、５ｍｍ間隔で並列して設けられ、縦状に交互に凹凸部が並列して設けた構成となっている［なおこれらの寸法は一例である］。帯条板（ｆ）の下面には予め貼り付け用として両面テープなどを添付してあるが、これは前記の本箱内に貼り付ける際に、接着剤などを適宜用いて行ってもよい。このような整理用溝付きテープ（Ｅ）の材質はゴム、合成樹脂材その他の材質を用いる。そして通常、この整理用溝付きテープ（Ｅ）の保管に当たっては、図１（ｃ）に示すようにロール状に巻いておくことにより、これの保管や販売に当たってに便利である。
【０００６】
この整理用溝付きテープ（Ｅ）の使用について説明する。図２に示すように、たとえば本箱（Ａ）において、その内部に書籍・本などを収納するについて、この整理用溝付きテープ（Ｅ）および同（Ｅ’）を本箱（Ａ）の内部の上下に適宜裁断して貼り付ける。そして適当な仕切り板（ｈ）を上下の縦条突起（ｔ）間に挟入し、この例では書籍（Ｂ）を入れる空間を、その書籍（Ｂ）の厚さを加味し、それが倒れることのないように調整して設けてある。このようにして書籍（Ｂ）をこの空間に収納することができる。図３においては、これら整理用溝付きテープ（Ｅ），（Ｅ’）の本箱（Ａ）内の上下壁面の前後（入口部分、奥部分）における貼り付け位置を示す。整理用溝付きテープ（Ｅ），（Ｅ’）の取り付け位置、裁断寸法などは必要に応じて自由に調節する。
【０００７】
なお整理用溝付きテープ（Ｅ），（Ｅ’）の取り付け位置を、前記図２に示す本箱（Ａ）の両側面（図示左右壁面）に取り付け、仕切り板（ｈ）を棚状に挟入して用いることにより、整理棚の仕様として書類、書籍の他、適宜、文房具、たとえば筆記具、定規、その他などの収納用として用いることもできる。そしてまた図４に示すように抽き出し（Ｃ）において、その内側面壁にこの整理用溝付きテープ（Ｅ），（Ｅ’）を貼り付け、仕切り板（ｈ）を取り付けて適宜、区画を形成し、さらにこの仕切り板（ｈ）の側面壁に、また整理用溝付きテープ（Ｅ），（Ｅ’）を貼り付けて仕切り板（ｈ’）を置き、さらに小さく区画することもできる。そしてこの仕切り板（ｈ’）においても同様に整理用溝付きテープ（Ｅ），（Ｅ’）を取り付け、そこに仕切り板（ｈ”）により区画して、細分化し、書類、書籍の他、適宜、文房具、たとえば、筆記具、定規、その他などの収納用として用いることができる。ここで（Ｆ）は抽き手である。
【０００８】
【発明の効果】この発明は、本箱あるいは抽き出し内の書類、書籍、各種の文房具などが整然と収納できるように、縦状に交互に凹凸部を並列して設けた帯状板からなる整理用溝付きテープを、本箱、抽き出しなどを構成する箱体の内部壁に対向して取り付けることで、それらを適確に収納、整理、保管することができるる。
【図面の簡単な説明】
【図１】この発明の整理用溝付きテープとその保管状態を示す図。
【図２】この発明の整理用溝付きテープの使用状態を拡大して示す図。
【図３】この発明の整理用溝付きテープの取り付け位置の例を示す図
【図４】この発明の整理用溝付きテープを抽き出しに取り付けた例を示す図。
【付号の説明】
（Ｅ），（Ｅ’）  整理用溝付きテープ
（ｆ）  帯条板
（ｈ），（ｈ’），（ｈ”）  仕切り板
（ｔ）  縦条突起
（Ａ）  本箱
（Ｂ）  書籍
（Ｃ）  抽き出し
（Ｆ）  抽き手
【図１】
2004267710.tif 000003
【図２】
2004267710.tif 000004
【図３】
2004267710.tif 000005
【図４】
2004267710.tif 000006